(57)【要約】      （修正有）【課題】使用者の意に反して放音部がアーム部と共にヘッドバンド部に対して回転移動する問題を解決するヘッドホン装置を提供する。【解決手段】ヘッドホン装置１は、放音部２とヘッドバンド部６とを接続するアーム部４と、ヘッドバンド部６に対してアーム部４を放音部２の径方向に回転移動させるための回転機構５と、回転機構５に設けられ、アーム部４の回転移動を制止する制御部（ロックピン２５とそれを挿入する孔部２２）と、を備える。【選択図】図１
2015192288.tif 000002
【特許請求の範囲】
【請求項１】
放音部とヘッドバンド部とを接続するアーム部と、
前記ヘッドバンド部に対して前記アーム部を前記放音部の径方向に回転移動させるための回転機構と、
前記回転機構に設けられ、前記アーム部の前記回転移動を制止する制御部と、を備えたことを特徴とするヘッドホン装置。
【請求項２】
前記放音部と前記アーム部とが左右各一対配置され、前記回転機構と前記制御部とが左右各一対配置されていることを特徴とする請求項１記載のヘッドホン装置。
【請求項３】
前記回転機構は、前記ヘッドバンド部に設けられたヘッドバンド部側回転部と、前記アーム部に設けられたアーム部側回転部と、前記ヘッドバンド部側回転部及び前記アーム部側回転部に共通に配置される回転用の軸部と、を備え、
前記ヘッドバンド部側回転部に対して前記アーム部側回転部が前記軸部の周りを回転することで、前記ヘッドバンド部に対して前記アーム部が回転移動することを特徴とする請求項１又は２記載のヘッドホン装置。
【請求項４】
前記ヘッドバンド部側回転部と前記アーム部側回転部とに、前記軸部を挿入するための孔部が設けられ、前記軸部に固定部材を入れるための孔部が設けられていることを特徴とする請求項３記載のヘッドホン装置。
【請求項５】
前記制御部は、前記ヘッドバンド部側回転部に設けられた第一の孔部と、前記アーム部側回転部に設けられた第二の孔部と、前記第一の孔部及び前記第二の孔部に挿入されるロックピンと、で構成されていることを特徴とする請求項３又は４記載のヘッドホン装置。
【請求項６】
前記第一の孔部と前記第二の孔部とが、前記軸部よりも前記アーム部側回転部の付根寄りに配置されていることを特徴とする請求項５記載のヘッドホン装置。
【請求項７】
前記回転機構には、前記制御部を覆うカバー部材が備えられていることを特徴とする請求項１〜６の何れかに記載のヘッドホン装置。
【請求項８】
前記カバー部材を前記回転機構に取り付けるための固定部材が備えられていることを特徴とする請求項７記載のヘッドホン装置。
【発明の詳細な説明】
【技術分野】
【０００１】
本発明は、バンド部と放音部側のアーム部とを備えるヘッドホン装置に関するものである。
【背景技術】
【０００２】
例えば特許文献１には、バンド部に対して放音部側のアーム部を回転移動可能としたヘッドホン装置が開示されている。左右の両チャンネルのアーム部がバンド部に対して使用者の頭部の例えば前後方向に回転移動可能である。
【０００３】
このヘッドホン装置は、バンド部の各先端部に連結された一対の押付部と、一端に押付部を連結し、他端にスピーカを連結して、スピーカを所定位置に支持する支持アームとを有している。押付部と使用者の側頭部との接触面に対して直交する左右方向の軸線を中心として、支持アームを側頭部の例えば前後方向に回転移動可能としている。
【先行技術文献】
【特許文献】
【０００４】
【特許文献１】特開２０１３−１７２３７１号公報
【発明の概要】
【発明が解決しようとする課題】
【０００５】
例えば、従来のヘッドホン装置をＤＪ（ディスクジョッキ）用として使用する場合、ＤＪ（使用者）が、ヘッドホン装置の左右何れか一方のチャンネルの音のみを聞き、左右何れか他方のチャンネルの放音部は、例えばダンスホールやパーティ会場等といったホール内の音を聞くために例えば前後方向に回転移動（スイング）させておく、といった動的な使い方をする場合がある。
【０００６】
左右のどちらのチャンネルの放音部を回転移動させ、どちらのチャンネルの放音部を回転移動ないでおくかは、ＤＪ（使用者）によって異なる。なお、「チャンネル」とは、例えば音声信号の伝送路といった意味である。
【０００７】
また、例えばＤＪ以外の使用者においても、例えばヘッドホン装置でじっくり音楽を聴くといった一般的な（静的な）使い方をする場合は、両チャンネルの放音部が共に回転移動しない方がよい場合もある。
【０００８】
しかしながら、従来のヘッドホン装置にあっては、これらの場合に上手く対応できないという問題があった。
【０００９】
すなわち、例えば、ＤＪ（使用者）がヘッドホン装置の一方の放音部を一方の耳に当て、他方の放音部を他方の耳から回転移動させて作業（ＤＪ操作）を行う場合に、例えば、耳に当てた一方の放音部がバンド部に対して意に反して回転移動して、ＤＪ（使用者）が自分の流した音楽を聞き損じたり、あるいは耳に当てた一方の放音部に対してバンド部が意に反して回転移動してＤＪ（使用者）の頭部からずれ落ちてしまったりして、作業に集中できなくなるといった懸念があった。
【００１０】
また、使用者が音楽をじっくり聴きたい場合に、両方の耳に当てた両方の放音部のうちの何れかが、あるいは両方がバンド部に対して意に反して回転移動してしまったり、あるいは両方の耳に当てた両方の放音部に対してバンド部が意に反して回転移動して使用者の頭部からずれ落ちてしまったりして、音楽を集中して聴くことができなくなるといった懸念があった。
【００１１】
本発明が解決しようとする課題としては、上記した従来技術において生じる、使用者の意に反して放音部がアーム部と共にヘッドバンド部に対して回転移動してしまう場合があるという問題が一例として挙げられる。
【課題を解決するための手段】
【００１２】
請求項１記載のヘッドホン装置は、放音部とヘッドバンド部とを接続するアーム部と、前記ヘッドバンド部に対して前記アーム部を前記放音部の径方向に回転移動させるための回転機構と、前記回転機構に設けられ、前記アーム部の前記回転移動を制止する制御部と、を備えたことを特徴とする。
【図面の簡単な説明】
【００１３】
【図１】本発明のヘッドホン装置の第１実施例を示す全体図である。
【図２】同じくヘッドホン装置の第１実施例の要部拡大図である。
【図３】図２の矢視Ａ−Ａ部分の概略の断面図である。
【図４】（ａ）（ｂ）はヘッドホン装置の第２実施例の要部を示す断面図である。
【図５】ヘッドホン装置の第３実施例の要部を示す断面図である。
【図６】（ａ）はヘッドホン装置の第４実施例、（ｂ）はヘッドホン装置の第５実施例のそれぞれ要部を示す断面図である。
【図７】ヘッドホン装置の第７実施例の要部を示す断面図である。
【図８】ヘッドホン装置の第８実施例の要部を示す斜視図である。
【図９】ヘッドホン装置の第９実施例の要部を示す断面図である。
【発明を実施するための形態】
【００１４】
以下に、本発明の一実施形態を説明する。
【００１５】
本発明の一実施形態に係るヘッドホン装置は、放音部とヘッドバンド部とを接続するアーム部と、前記ヘッドバンド部に対して前記アーム部を前記放音部の径方向に回転移動させるための回転機構と、前記回転機構に設けられ、前記アーム部の前記回転移動を制止する制御部と、を備えている。
【００１６】
この構成により、使用者の意に反して放音部がアーム部と共にヘッドバンド部に対して回転移動してしまう場合があるという問題が解決される。
【００１７】
また、前記放音部と前記アーム部とが左右各一対配置され、前記回転機構と前記制御部とが左右各一対配置されている。
【００１８】
この構成により、使用者の好みやニーズに合わせて、左側又は右側の回転機構が制御部で回転不能に固定される。あるいは、左右両方の回転機構が制御部で回転不能に固定される。制御部を解除すれば（使用しなければ）、左右両方の放音部をヘッドバンド部に対して回転移動可能である。このように、左右ともに回転移動可能、左側のみ回転移動可能、右側のみ回転移動可能、左右とも回転移動できない、の四種類の選択を使用者が行うことができる。
【００１９】
また、前記回転機構は、前記ヘッドバンド部に設けられたヘッドバンド部側回転部と、前記アーム部に設けられたアーム部側回転部と、前記ヘッドバンド部側回転部及び前記アーム部側回転部に共通に配置される回転用の軸部とを備え、前記ヘッドバンド部側回転部に対して前記アーム部側回転部が前記軸部の周りを回転することで、前記ヘッドバンド部に対して前記アーム部が回転移動する。
【００２０】
また、前記ヘッドバンド部側回転部と前記アーム部側回転部とに、前記軸部を挿入するための孔部が設けられ、前記軸部に固定部材を入れるための孔部が設けられている。
【００２１】
また、前記制御部は、前記ヘッドバンド部側回転部に設けられた第一の孔部と、前記アーム部側回転部に設けられた第二の孔部と、前記第一の孔部及び前記第二の孔部に挿入されるロックピンと、で構成されている。
【００２２】
この構成により、一本のロックピンでヘッドバンド部側回転部とアーム部側回転部とが同時に簡単且つ確実に（強固に）且つ低コストでロックされる。
【００２３】
また、前記第一の孔部と前記第二の孔部とが、前記軸部よりも前記アーム部側回転部の付根寄りに配置されている。
【００２４】
この構成により、アーム部側回転部の先端側ではなく剛性の高い基端（付根）側においてロックピンが挿入配置されることで、たとえ強い回転力がロックピンにかかった場合でも、回転機構のロックが確実に行われると共に、アーム部側回転部の先端側の破損等が防止される。
【００２５】
また、前記回転機構には、前記制御部を覆うカバー部材が備えられている。また、前記カバー部材を前記回転機構に取り付けるための固定部材が備えられている。これらの構成により、例えば、制御部におけるロックピン等といった部材をカバー部材で押さえて、回転機構からの制御部の脱落を防止することができる。
【実施例】
【００２６】
以下に、図１〜図３に基づいて、本発明の実施例に係るヘッドホン装置について説明する。なお、第２実施例以降においては、第１実施例と同様ないし類似の構成部分に便宜上、第１実施例と同じ符号を用いて説明する。第２実施例以降の図示は省略する。
【００２７】
（第１実施例）  図１は、本発明の第１実施例のヘッドホン装置１を示すものである。図２は、同じくヘッドホン装置１の要部を示し、図３は、図２のＡ−Ａ断面の概略形状を示している。
【００２８】
図１の如く、このヘッドホン装置１は、左右一対の放音部２と、各放音部２のケース３を上下方向に貫通して、上下方向スライド移動可能に設けられた合成樹脂製の硬質な各アーム部４と、各アーム部４の上端部に各回転機構５を介して連結された合成樹脂製のヘッドバンド部６とを備えている。
【００２９】
各放音部２は、合成樹脂製の硬質な略カップ状のケース３と、ケース３の内側端３ａに設けられた合成樹脂製等の柔軟なイヤパッド７とを備えている。ケース３の「内側端」とは、使用者の耳（図示せず）に近い側の端部である。
【００３０】
ケース３は、円形環状の周壁３ｂと、周壁３ｂから外側の略テーパ状の壁部を経て続く平坦な外側壁（底壁）３ｃとを備えている。ケース３の内部には、振動板や、振動板に接続されたボイスコイル等といった不図示の部品が配設されている。ボイスコイルに接続されるケーブルは図示を省略している。ケース３には、ケーブルを電気的に接続するための孔状のコネクタ２４が設けられている。
【００３１】
各アーム部４は細長板状のもので、各アーム部４の内側面４ａには断面三角形状の突起４ｂがアーム長手方向に複数並列に設けられている。アーム部４の「内側面」とは、使用者の耳に近い側の面である。また、突起４ｂに弾性的に嵌合する位置決め用の固定部（図示せず）が、各ケース３の上下方向に貫通した孔部３ｄ内に設けられている。これにより、アーム部４に対して放音部２を上下方向にスライド式に位置決め自在である。アーム部４はケース３の孔部３ｄから上向きに抜き出し可能である。
【００３２】
アーム部４の上端部すなわちアーム部側回転部８はその他のアーム部分よりも前後方向に幅広で且つ略円形状に形成されている。放音部２はアーム部４を介してヘッドバンド部６に接続されている。
【００３３】
ヘッドバンド部６は、使用者の頭部（図示せず）の形状に沿うように湾曲状に形成されている。ヘッドバンド部６の内側（下側）面に湾曲状のクッション材９が設けられている。クッション材９よりも下方に延長されたバンド部分６ａには、下方に向かうにつれて漸次幅広となった正面視で三角形状のリブ１０が前後に設けられると共に、前後の補強リブ１０の下端を連結して上向きに凸となった湾曲状の底壁１１が設けられている。底壁１１は上側のバンド部分６ｂよりも左右方向に幅広に形成されている。
【００３４】
さらに、図２にも示す如く、底壁１１から下向きに左右一対（内外）の壁部１２，１３が対向して設けられ、左右一対の壁部１２，１３の間にスリット状の隙間１４が形成されている。一対の壁部１２，１３はヘッドバンド部６の下端部を成し、一対の壁部１２，１３の下半部は側面視で略半円状に形成されている。一対の壁部１２，１３の間の隙間１４に、アーム部４の上端部（アーム部側回転部）８が下から上向きに挿入されて回転自在となっている。ヘッドバンド部６に対してアーム部４は放音部２の径方向（使用者の前後方向）に回転移動自在である。
【００３５】
ヘッドバンド部６の下端部における少なくとも左右一対の壁部１２，１３とその間の隙間１４とその上側の底壁（連結壁）１１とでヘッドバンド部側回転部１５を構成し、アーム部４の略円形状の上端部がアーム部側回転部８を構成している。アーム部側回転部８の上端側の周面８ａは、ヘッドバンド部側回転部１５の底壁１１の円弧状の下面１１ａに沿って回転自在に位置している。
【００３６】
ヘッドバンド部側回転部１５の左右一対の壁部１２，１３のうちの内側（使用者の頭部に近い側）の壁部１２の内側の面に円形の浅い凹部１６が形成されている。左右一対の壁部１，１３のうちの外側の壁部１３の外側の面にも同様の浅い凹部１７（図３参照）が形成されている。内側の壁部１２の凹部１６には内側カバー部材１８が嵌まり、外側の壁部１３の凹部１７（図３）には外側カバー部材１９が嵌まる。
【００３７】
各凹部１６，１７と同心に左右一対の壁部１２，１３の中央に孔部２０が設けられている。孔部２０は少なくとも内側の壁部１２において段差状（異形）に形成され、段差状の孔部は内側（使用者の頭部に近い側）の大径孔２０ａと外側の小径孔２０ｂとで成り、左右（内外）の壁部１２，１３の各孔部２０は、上下の平行な各平坦面２０ｃと、各平坦面２０ｃを結ぶ前後の円弧面２０ｄとで構成されている。孔部２０と同軸（同心）に、アーム部側回転部８に円形の孔部２１が設けられている。円形の孔部２１の内径と異形の孔部２０の内径とは同一である。
【００３８】
また、上記孔部２０，２１よりも下側すなわちアーム部側回転部８の付根８ｂ寄り（放音部２寄り）の位置において、ヘッドバンド部側回転部１５の左右一対の壁部１２，１３とアーム部側回転部８とに同心に貫通して、上記孔部２０，２１よりも小径な断面円形の孔部２２，２３が設けられている。この小径な孔部２２，２３にはロックピン２５が挿入される。
【００３９】
ロックピン２５とそれを挿入する各孔部２２，２３とで、ヘッドバンド部６に対するアーム部４の回転移動（又はアーム部４に対するヘッドバンド部６の回転移動）を阻止するための制御部２６が構成されている。この制御部２６は、左右両方のチャンネル（伝送路）における各ヘッドバンド部側回転部１５と各アーム部側回転部８に設けられている。ヘッドバンド部側回転部１５の孔部２２を第一の孔部、アーム部側回転部８の孔部２３を第二の孔部と呼称する。
【００４０】
ロックピン２５は、ヘッドバンド部側回転部１５の内側の壁部１２の孔部２２からアーム部側回転部８の孔部２３を経てヘッドバンド部側回転部１５の外側の壁部１３の孔部２２にかけて挿入される。外側カバー部材１９をヘッドバンド部側回転部１５の外側の壁部１３に組み付けた後、ロックピン２５が挿入される。ロックピン２５は例えば使用者によって適宜、右側の回転機構５及び／又は左側の回転機構５に組み付けられる。
【００４１】
ロックピン２５は例えば金属又は硬質な合成樹脂で均一な外径の円柱状に形成されている。ロックピン２５の外径は各孔部２２，２３の内径よりも若干小さく規定されている。ロックピン２５の長さは、内側の壁部１２の凹部１６の表面１６ａから外側の壁部１３の凹部１７（図３）の表面１７ａまでの距離と同等ないしそれよりも若干短い。ロックピン２５の左右の各端部にはテーパ面取り２５ａが形成されている。
【００４２】
ロックピン挿入用の孔部２２，２３をアーム部側回転部８の上端側ではなく下端側すなわちアーム部側回転部８の付根８ｂ寄りに配置した理由は、例えば孔部２２，２３をアーム部側回転部８の上端側（自由端側）に設けた場合は、ロックピン２５と孔部２２，２３にかかる回転方向の力でアーム部側回転部８の上端側の部分が脆くなって破損し兼ねないからである。
【００４３】
孔部２２はヘッドバンド部側回転部１５の下端側（自由端側）に設けられているが、ヘッドバンド部側回転部１５は左右一対の壁部１２，１３を備え、両壁部１２，１３に孔部２２が貫通して設けられているので、孔部２２における強度は確保されており、問題はない。
【００４４】
孔部２２，２３をアーム部側回転部８の下端側に配置したことで、回転方向の強い力がロックピン２５と孔部２２，２３に作用した場合でも、孔部２２，２３がガイドピン２５をしっかりと受け止めて、両回転部８，１５が破損等を起こすことなく、ヘッドバンド部６に対するアーム部４の回転、又はアーム部４に対するヘッドバンド部６の回転を確実に阻止する。
【００４５】
外側カバー部材（キャップ）１９は合成樹脂で硬質に形成され、テーパ状の壁部２７と、テーパ状の壁部２７の内側を補強する放射状のリブ２８と、テーパ状の壁部２７の内側端の円形環状の面２７ａと、テーパ状の壁部２７の中心から内向きに突出した軸部２９とを備えている。軸部２９は、回り止め用の上下の平行な平坦面２９ａと、上下の平坦面２９ａを結ぶ前後の円弧面２９ｂとを有している。
【００４６】
軸部２９の上下の平坦面２９ａが、ヘッドバンド部側回転部１５の孔部２０の上下の平坦面２０ｃに接することで、ヘッドバンド部側回転部１５に対して外側カバー部材１９が回転不能に固定され、軸部２９の前後の円弧面２９ｂが、ヘッドバンド部側回転部１５とアーム部側回転部８との各孔部２０，２１の前後の円弧面２０ｄ，２１ａに接することで、アーム部側回転部８がヘッドバンド部側回転部１５に対して前後方向回転自在に支持される。
【００４７】
外側カバー部材１９の軸部２９の中心には、軸部先端面２９ｃから軸方向に小さな孔部３０が設けられ、孔部３０に内側カバー部材１８側の金属製のボルト（固定部材ないし雄ねじ部材ないし回転軸体）３１がねじ込まれる。孔部３０には予め雌ねじを形成しておくか、あるいは孔部３０をボルト３１よりも小径に形成して、ボルト３１をタッピングねじとして作用させて孔部３０にねじ込む。孔部３０の内側において軸部２９にナット（図示せず）を埋設することも可能である。ボルト３１は雄ねじ軸部３１ａと円形の頭部３１ｂとで成り、頭部３１ｂはマイナスドライバ等を嵌める溝３１ｃを有する。
【００４８】
内側カバー部材１８は合成樹脂で硬質に形成され、ヘッドバンド部側回転部１５の内側の壁部１２の凹部１６よりも少し小径な円形の周部１８ａを有し、中心に円形のボルト挿通孔３２を有している。内側カバー部材１８の内端側（使用者の頭部に近い側）にはボルト３１の頭部３１ｂを嵌める凹部１８ｂが形成されている。内側カバー部材３１の外側端には、ヘッドバンド部側回転部１５の内側の壁部１２の段差状の孔部２０の大径部分２０ａに嵌まる回り止めの凸部（図示せず）を設けることが好ましい。
【００４９】
内側のカバー部材１８の外側（使用者の頭部から遠い側）の面はヘッドバンド部側回転部１５の内側の壁部１２のロックピン挿入用の孔部２２の開口を覆い、外側のカバー部材１９の内側の環状面２７ａは外側の壁部１３のロックピン挿入用の孔部２２の開口を覆う。両カバー部材１８，１９は、ロックピン２５に対する抜け出し防止用の部材としても作用する。
【００５０】
ヘッドバンド部側回転部１５とアーム部側回転部８と、軸部２９を有する外側カバー部材１９と、内側カバー部材１８とボルト３１とで、回転機構５が構成されている。この回転機構５はヘッドホン装置１の左右両側のチャンネルにおいて対称に配設されている。
【００５１】
図３に示す如く、ヘッドバンド部側回転部１５の左右（内外）の壁部１２，１３の間にアーム部側回転部８が挿入配置され、外側カバー部材１９がヘッドバンド部側回転部１５の外側の壁部１３に組み付けられ、外側カバー部材１９の軸部２９が外側の壁部１３とアーム部側回転部８と内側の壁部１２との各孔部２０，２１を貫通し、外側カバー部材１９の内端面２７ａが外側の壁部１３の凹部１７の外面１７ａに接触する。
【００５２】
軸部２９によってヘッドバンド部側回転部１５とアーム部側回転部８とが回転自在に支持される。軸部２９の先端２９ｃは内側の壁部１２の内端面１６ａよりも外側（図３で右側）に位置する（内側の壁部１２の内端面１６ａから突出しない）。
【００５３】
この状態で、ロックピン２５が内側から外側に向けてヘッドバンド部側回転部１５とアーム部側回転部８との小径な各孔部２２，２３に沿って挿入される。ロックピン２５の挿入先端（外側端）２５ｂは外側カバー部材１９の内端面２７ａに接触してそれ以上の挿入が阻止される。
【００５４】
次いで、内側カバー部材１８が内側の壁部１２の凹部１６に組み付けられ、ボルト（図２）３１が矢印Ｂの如く内側カバー部材１８の孔部３２を通って、ヘッドバンド部側回転部１５とアーム部側回転部８との大径な孔部２０，２１内に嵌合した外側カバー部材１９の軸部２９の中心の孔部３０にねじ込まれる。
【００５５】
これにより、ヘッドバンド部側回転部１５とアーム部側回転部８との大径な孔部２０，２１からの軸部２９の抜け出しが阻止される。また、内側カバー部材１８の外端面１８ｃがロックピン２５の内端面２５ａに近接ないし接触して、ロックピン２５の内外方向への抜け出しが阻止される。
【００５６】
ロックピン２５がヘッドバンド部側回転部１５とアーム部側回転部８との各孔部２２，２３に嵌まることで、ヘッドバンド部側回転部１５とアーム部側回転部８との回転移動（ヘッドバンド部側回転部１５に対するアーム部側回転部８の回転や、アーム部側回転部８に対するヘッドバンド部側回転部１５の回転）が阻止される。
【００５７】
前述の如く、ロックピン挿入用の孔部２３をアーム部側回転部８の上端側（剛性の低い部位）ではなく、中心の孔部２１よりも下側の位置（剛性の高い部位）に設けたことで、ロックピン２５に強い回転力が作用した場合におけるアーム部側回転部８の上端側の破損の心配が解消される。
【００５８】
上記実施例のヘッドホン装置１は左右のロックピン２５を挿入する前の状態で使用者に提供される。例えば、ＤＪ（使用者）が左右何れか一方のチャンネルの回転機構５のボルト３１を緩め外して、内側カバー部材１８を外し、ロックピン２５を孔部２２，２３に挿入して、内側カバー部材１８をボルト１８で締め直し、ヘッドバンド部側回転部１５とアーム部側回転部８とをロックピン２５で回動不能にロックさせる。
【００５９】
この状態で、使用者が左右両側の放音部２を左右の各耳に当てて音楽等を聞くこともできるが、左右何れか他方のチャンネルの放音部２を他方の耳から外して、図１の左側に示す放音部２のように前後方向（前方又は後方）に回転移動させて（跳ね上げて）会場等といったホール内の音を直接他方の耳で聞くことが多い。
【００６０】
例えば、ＤＪ（使用者）が一方の手で一方の放音部２とその上側の一方のアーム部４ないしヘッドバンド部分６ａとを同時に掴んで作業を行っている際に、従来においては、一方のヘッドバンド部分６ａに対して一方の放音部２がアーム部４と共に前後方向に回転移動してしまい、一時的に音楽等を聞けなくなってしまうことがあったが、一方の放音部２側のアーム部４とヘッドバンド部６とを連結する回転機構５がロックピン２５でロック（固定）されているので、一方の放音部２が前後方向に回転移動することが防止されて、音楽等の聞き逃しが防止される。
【００６１】
また、従来においては、例えば、他方の放音部２を跳ね上げた勢いでヘッドバンド部６が意に反して前後方向に回転移動したりしやすいが、一方の放音部２側のアーム部４とヘッドバンド部６とを連結する回転機構５がロックピン２５でロック（固定）されているので、ヘッドバンド部６の回転移動が防止されて、ＤＪ（使用者）が作業に集中することができる。
【００６２】
また、例えば、ＤＪ（使用者）が一方の放音部２を一方の手で一方の耳に押し当てて音楽等を聞いている際に、従来においては、ヘッドバンド部６が意に反して前後方向に回転してＤＪの頭部から脱落してしまうことがあったが、一方の放音部２側のアーム部４とヘッドバンド部６とを連結する回転機構５がロックピン２５でロック（固定）されているので、ヘッドバンド部６の回転移動による頭部からの脱落が防止されて、一方の手を一方の放音部２から離した状態でも、頭部に保持されたヘッドバンド部６で一方の放音部２を一方の耳に当てた状態に維持できる（音楽等を聞き続けることができる）。
【００６３】
また、使用者としてＤＪ以外であっても、音楽を静的に聴く場合には、ヘッドホン装置１の左右両方の回転機構５をロックピン２５でロック（固定）しておけば、ヘッドバンド部６に対する左右の各放音部２の意に反する回転移動や、各放音部２に対するヘッドバンド部６の意に反する回転移動が防止されて、音楽をじっくりと鑑賞することができる。
【００６４】
また、従来のように、ヘッドバンド部６に対して左右の各放音部２を自由に回転移動させたい場合は、ヘッドピン２５を挿入しない状態でヘッドホン装置１を使用すればよい。なお、左右どちらの放音部２を耳に当て、左右どちらの放音部２を耳から外すかは、使用者（個人）によって異なる。
【００６５】
上記したように、例えばＤＪ用ヘッドホン等のプロ用ヘッドホンにおいては、左右の放音部２を左右の耳に装着したままじっと音楽を聞くという静的な使われ方をするだけではない。ＤＪの現場におけるヘッドホン装置１の使われ方の例としては、例えば以下に示すようなものが挙げられる。
【００６６】
・ヘッドホン装置１を片耳に装着している使用者が周囲の音を聞くために、片方の放音部２を手で耳に固定し、もう片方の放音部２を手で例えば前後方向に押して耳から離脱させる。
・ヘッドホン装置１を使用者の首に掛けたまま片方の放音部２のみを耳に当てる。
・ヘッドホン装置１の片方の放音部２のみを片手で掴んで頻繁に耳に当てたり耳から離したりする。
・置いた状態のヘッドホン装置１の片方の放音部２を手で掴んで耳に当て、すぐに置いた状態にする。
【００６７】
上記のように、極めて動的な使われ方がされる場合がある。このように、ヘッドホン装置１の放音部２を素早く動かしたり、耳への装着・非装着を頻繁に切り替えたりする動的な使われ方がなされる。
【００６８】
本実施例のヘッドホン装置１によって、これら動的な使われ方がなされた場合でも、ヘッドバンド部６に対する何れか片方の放音部２の意に反する回転移動や、何れか片方の放音部２に対するヘッドバンド部６の意に反する回転移動を確実に防止することができる。また、使用者の好みやニーズに合わせて、左側又は右側、あるいは両方の回転機構５が制御部２６によって回転不能に固定される。これによって、ＤＪ操作を集中して正確に行わせることができる。
【００６９】
（第２実施例）  上記第１実施例のヘッドホン装置１においては、アーム部４の回転を制御するための制御部２６として、ロックピン２５とそれを挿入する孔部２２，２３とを用いたが、第２実施例ではそれ以外の制御部の構成について説明する。
【００７０】
図４（ａ）に示す如く、制御部として、金属製の球体７３と、球体７３を付勢するばね部材（圧縮コイルばねが好ましい）７４と、これら球体７３とばね部材７４とを収容し、球体７３をばね部材７４で付勢した状態で半分程度露出（突出）させる筒状のケース７５とを備えるプランジャ７６を用いる。
【００７１】
さらに、プランジャ７６の球体７３を嵌合させる断面半円状の凹部７７ないし貫通孔（図示せず）をアーム部４のアーム部側回転部８に設ける。プランジャ７６と凹部７７ないし貫通孔とで制御部７８が構成される。例えば、プランジャ７６をヘッドバンド部側回転部１５の内側の壁部１２の孔部２２内に固定し、凹部７７（図２の孔部２３でも可）をアーム部４のアーム部側回転部８に設ける。あるいは、プランジャ７６をアーム部側回転部８の孔部２３（図２）内に固定し、凹部７７（孔部２２でも可）をヘッドバンド部側回転部１５に設ける。球体７３を凹部７７に嵌合させた状態で、容易にアーム部４を回転させることができない位に強いばね部材７４を用いることが好ましい。図４（ａ）で、符号１８は内側カバー部材、符号１９は外側カバー部材を示す。
【００７２】
また、図４（ｂ）に示す如く、プランジャ７６のケース７５（図４（ａ））を排除して、例えばアーム部側回転部８に設けた有底の穴部７９に、ばね部材７４を収容すると共に、例えば球体７３よりも長いピン状の部材８０を進退可能に収容する。符号８０ａはばね固定部を示す。ヘッドバンド部側回転部１５の例えば内側の壁部１２に、ピン状の部材８０を進入させる貫通孔８１を設ける。ピン状の部材８０の方が球体７３よりも貫通孔８１又は凹部に深く進入するので、回動機構５の回転抑止力が高まる。貫通孔８１を用いれば、貫通孔８１に治具棒等を挿入してピン状の部材８０の先端をばね部材７９の付勢力に抗して押すことで、貫通孔８１とピン状の部材８０とのロックを容易に解除することができる。
【００７３】
（第３実施例）  図５に示す如く、制御部として、第１実施例のロックピン２５に代えてボルト８２を用いる。内側カバー部材１８（図２）の中心のボルト挿通用の孔部３２の下側に設けたボルト挿通孔８３を経て、ボルト８２の雄ねじ部分８２ａないし軸部をヘッドバンド部側回転部１５の内側の壁部１２の孔部２２とアーム部側回転部８の孔部２３とに順次挿通して、ヘッドバンド部側回転部１５の外側の壁部１３の孔部２２ａにねじ込んで固定する。孔部２２ａは他の孔部２２，２３よりも小径に形成されている。孔部２２ａに雌ねじ部を予め形成してもよい。ボルト８２の着脱作業は、内側カバー部材１８や外側カバー部材１９を外すことなく容易に行うことができる。
【００７４】
（第４実施例）  図６ａに示す如く、制御部として、第１実施例のロックピン２５等を用いずに、例えば、アーム部４の上部４ｃ（図１）又はヘッドバンド部６の下部６ａに、矩形筒状のスライド部材８４を上下方向スライド自在に装着する。ヘッドバンド部６の下部６ａの前後の面６ｃ（図１）と、アーム部４の上部４ｃの前後の面４ｄ（図１）とを同時に覆う（各前後の面４ｄ，６ｃに接触する）前後一対の壁部８４ａをスライド部材８４が有している。アーム部４は伸縮可能で放音部２（図１）から上方への突出長さが変動するので、スライド部材８４はヘッドバンド部６に装着することが好ましい。
【００７５】
スライド部材８４をヘッドバンド部側回転部１５とアーム部側回転部８とに向けて矢印のようにスライド移動させ、スライド部材８４の前後一対の壁部８４ａをヘッドバンド部６の下部６ａとアーム部４の上部４ｃとの各前後の面４ｄ，６ｃに接触させることで、両回転部８，１５の回転を阻止（ロック）させる。スライド部材８４はアーム部４又はヘッドバンド部６から外れないので、使用者が紛失する心配がない。回転部８，１５のロックを解除する場合は、スライド部材８４をヘッドバンド部６に沿って移動させて、ヘッドバンド部６の一部として使用することが好ましい。
【００７６】
（第５実施例）  図６（ｂ）に示す如く、制御部として、図６（ａ）の第４実施例の矩形筒状のスライド部材８４の左右（内外）何れかの壁部８４ｂの前後方向中央に縦方向の一本の広めのスリット８４ｃを設けて、断面不完全環状とし、且つ上記スライド部材８４よりも前後方向に少し幅狭に形成して、アーム部４の上部４ｃとヘッドバンド部６の下部６ａとにスライド不能に嵌合させる嵌合部材８４Ａを用いる。嵌合部材８４Ａは、アーム部４の上部４ｃの前後の面４ｄとヘッドバンド部６の下部６ａの前後の面６ｃとを同時に覆う長さを有している。
【００７７】
嵌合部材８４Ａをスリット８４ｃから矢印のように前後に撓ませて開いて、図６（ａ）のヘッドバンド部側回転部１５とアーム部側回転部８に外側から被せ着けることで、嵌合部材８４Ａの前後の壁部８４ａがアーム部４の上部４ｃとヘッドバンド部６の下部６ａとの各前後の面４ｄ，６ｃに同時に接触して、両回転部８，１５の回転を阻止する。両回転部８，１５のロックを解除する場合は、嵌合部材８４Ａをスリット８４ｃから前後に撓ませて開いて回転部８，１５から脱出させる。嵌合部材８４Ａの前後方向幅を上記スライド部材８５と同程度に設定して、スライド部材としてヘッドバンド部６にスライド移動させて着けたままにしておくことも可能である。
【００７８】
（第６実施例）  上記第１実施例のヘッドホン装置１は、ヘッドバンド部６を使用者の頭部の上部（頂部）から耳に向けて下向きに掛けるタイプのものであるが、第６実施例は、ヘッドバンド部６を使用者の頭部の後部から耳に向けて前向きに略水平に掛けるタイプ（耳掛けタイプ）のヘッドホン装置に関するものである（例えば前記特許文献１のヘッドホン装置を参照）。
【００７９】
例えば、図１の左側に示す放音部２のように、ヘッドバンド部６に対して略直交する方向に（９０°ないしその近傍の角度に）回転移動させ、その状態で、ヘッドバンド部側回転部１５とアーム部側回転部８との各孔部２２，２３にロックピン２５を挿入して、両回転部８，１５をロックさせる。
【００８０】
図２において、第１実施例ではヘッドバンド部側回転部１５とアーム部側回転部８との各下側位置にロックピン挿入用の孔部２２，２３を設けたが、第６実施例では、ヘッドバンド部側回転部１５とアーム部側回転部８との各前側位置又は／及び後側位置にロックピン挿入用の孔部２２，２３を設ける。
【００８１】
（第７実施例）  上記第６実施例における制御部として、例えば、ロックピン２５に代えて、上記第３実施例におけるボルト８２を用いることも可能である。また、図７に示す如く、第５実施例における嵌合部材８４Ａを略Ｌ字状に折り曲げ形成して成る嵌合部材８５を第６実施例における制御部として用いることができる。この嵌合部材８５は、上下の壁部８５ａ，８５ｂと前後の壁部８５ｃ，８５ｄと左右（内外）の壁部８５ｅと、左右何れかの壁部８５ｅに設けられた略Ｌ字状の幅広のスリット８５ｆとで構成されている。嵌合部材８５の上下の壁部８５ａ，８５ｂがヘッドバンド部６の付根側部分６ａの上下の面６ｃに接触し、それと同時に嵌合部材８５の前後の壁部８５ｃ，８５ｄがアーム部４の上部４ｃの前後の面４ｄに接触することで、アーム部側回転部８とヘッドバンド部側回転部１５の回転が阻止される。
【００８２】
（第８実施例）  図８に示す如く、上記第１実施例におけるアーム部４を放音部２のケース３に一体に且つスライド不能に設ける（一体樹脂成形する）。放音部２と一体のアーム部４がヘッドバンド部６に回転機構５で回転移動自在に接続される。図１のケース３のアーム部貫通用の孔部３ｄや、ケース３の下部から突出したアーム部分（符号４ａの部分）はなくなる。第８の実施例のアーム部４には上記第１〜第７の実施例の制御部を適用可能である（図８では第１実施例を適用している）。
【００８３】
（第９実施例）  上記第１実施例においては、ヘッドバンド部側回転部１５が左右（内外）一対の壁部１２，１３を有し、アーム側回転部８が、ヘッドバンド部側回転部１５の一対の壁部１２，１３の間に挿入される一枚の壁部で構成されているが、第９実施例においては、図９に示す如く、アーム部側回転部８が左右（内外）一対の壁部８６，８７を有し、ヘッドバンド部側回転部１５が、アーム部側回転部８の一対の壁部８６，８７の間に挿入される一枚の壁部で構成される。
【００８４】
このアーム部側回転部８の一対の壁部８６，８７とヘッドバンド部側回転部１５とにロックピン挿入用の孔部２２，２３が貫通して設けられる。アーム部側回転部８の一対の壁部８６，８７とヘッドバンド部側回転部１５との中心には、外側カバー部材１９の軸部２９を挿入するための孔部２０，２１が設けられ、ロックピン挿入用の孔部２２，２３は、軸部挿入用の孔部２０，２１よりもヘッドバンド部側回転部１５の付根１５ａ寄りの位置に設けられる。
【符号の説明】
【００８５】
１          ヘッドホン装置
２          放音部
４          アーム部
５          回転機構
６          ヘッドバンド部
８          アーム部側回転部
８ｂ        付根
１５        ヘッドバンド部側回転部
１８        内側カバー部材（カバー部材）
１９        外側カバー部材（カバー部材）
２０，２１  孔部
２２        孔部（第一の孔部）
２３        孔部（第二の孔部）
２５        ロックピン
２６        制御部
２９        軸部
３０        孔部
３１        ボルト（固定部材）
【図１】
2015192288.tif 000003
【図２】
2015192288.tif 000004
【図３】
2015192288.tif 000005
【図４】
2015192288.tif 000006
【図５】
2015192288.tif 000007
【図６】
2015192288.tif 000008
【図７】
2015192288.tif 000009
【図８】
2015192288.tif 000010
【図９】
2015192288.tif 000011